【手続補正書】
【提出日】平成28年1月7日(2016.1.7)
【手続補正１】
【補正対象書類名】明細書
【補正対象項目名】００１７
【補正方法】変更
【補正の内容】
【００１７】
本技術の一側面の第１の受信方法は、位相補償されているセグメントが複数連結されたセグメントの前記位相補償を補正する補正部を備える受信装置の受信方法において、前記補正部は、既知信号の位相に基づき、前記位相補償量を初期化するタイミングを生成し、前記既知信号の位相に基づき、前記位相補償の位相補償量を補正するための補正量を生成し、生成された前記補正量で、前記位相補償に対する位相補正を行うステップを含む。
【手続補正２】
【補正対象書類名】明細書
【補正対象項目名】００１８
【補正方法】変更
【補正の内容】
【００１８】
本技術の一側面の第１のプログラムは、位相補償されているセグメントが複数連結されたセグメントの前記位相補償を補正する補正部を備える受信装置を制御するコンピュータに、補正部が、前記既知信号の位相に基づき、前記位相補償量を初期化するタイミングを生成し、前記既知信号の位相に基づき、前記位相補償の位相補償量を補正するための補正量を生成し、生成された前記補正量で、前記位相補償に対する位相補正を行う処理を実行させるためのコンピュータ読み取り可能なプログラムである。
【手続補正３】
【補正対象書類名】明細書
【補正対象項目名】００２１
【補正方法】変更
【補正の内容】
【００２１】
本技術の一側面の第２の受信方法は、位相補償されているセグメントが複数連結されたセグメントの前記位相補償を補正する補正部を備える受信装置の受信方法において、前記補正部は、既知信号の位相に基づき、前記位相補償の位相補償量を補正するための補正量を生成し、生成された前記補正量で、前記位相補償に対する位相補正を行うステップを含む。
【手続補正４】
【補正対象書類名】明細書
【補正対象項目名】００２２
【補正方法】変更
【補正の内容】
【００２２】
本技術の一側面の第２のプログラムは、位相補償されているセグメントが複数連結されたセグメントの前記位相補償を補正する補正部を備える受信装置を制御するコンピュータに、前記補正部が、既知信号の位相に基づき、前記位相補償の位相補償量を補正するための補正量を生成し、生成された前記補正量で、前記位相補償に対する位相補正を行う処理を実行させるためのコンピュータ読み取り可能なプログラムである。
【手続補正５】
【補正対象書類名】明細書
【補正対象項目名】００４５
【補正方法】変更
【補正の内容】
【００４５】
例えば、モードがモード１とガードインターバル比が1/32の組み合わせは、８シンボル周期である。図３を参照するに、0,3/8,3/4,1/8,1/2,7/8,1/4,5/8の順で遷移し、８シンボル目で0に戻るという８シンボル周期となっていることが読み取れる。
【手続補正６】
【補正対象書類名】明細書
【補正対象項目名】０１５４
【補正方法】変更
【補正の内容】
【０１５４】
図１１に示したフローチャートを参照し、図１０に示した補正部２００の処理について説明する。ステップＳ３１において、補正部２００は、セグメントを取得する。ステップＳ３２において、補正位相生成部１５３は、位相補償なしか否かを判断する。
【手続補正７】
【補正対象書類名】明細書
【補正対象項目名】０１７７
【補正方法】削除
【補正の内容】
【手続補正８】
【補正対象書類名】明細書
【補正対象項目名】０１７８
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
位相補償されているセグメントが複数連結されたセグメントの前記位相補償を補正する補正部
を備え、
前記補正部は、
既知信号の位相に基づき、前記位相補償量を初期化するタイミングを生成するタイミング生成部と、
前記既知信号の位相に基づき、前記位相補償の位相補償量を補正するための補正量を生成する補正量生成部と、
前記補正量生成部により生成された前記補正量で、前記位相補償に対する位相補正を行う位相補正部と
を備える受信装置。
【請求項２】
前記既知信号の位相は、複数のパターンを有し、
前記タイミング生成部は、前記複数のパターンのうちの所定のパターンを検出したとき、前記初期化するタイミングを生成する
請求項１に記載の受信装置。
【請求項３】
前記既知信号は、パイロット信号であり、前記パターンは、ＳＰ（Scattered Pilot）が配置されている位置により分類されるパターンである
請求項２に記載の受信装置。
【請求項４】
前記位相補償量は、所定の周期毎に０となり、
前記タイミング生成部は、０となるタイミングを、前記所定のパターンを検出することで検出する
請求項２に記載の受信装置。
【請求項５】
前記位相補償量の前記所定の周期は、送信パラメータにより異なり、
前記タイミング生成部は、前記送信パラメータにより特定される前記所定の周期で前記位相補償量が０となるタイミングを、前記所定のパターンを検出することで検出する
請求項２に記載の受信装置。
【請求項６】
前記パラメータは、モードとガードインターバル比である
請求項５に記載の受信装置。
【請求項７】
前記連結されたセグメントは、ISDB-TmmまたはISDB-Tsbの規格に基づき連結されたセグメントである
請求項１に記載の受信装置。
【請求項８】
前記連結されたセグメントは、ISDB-TmmまたはISDB-Tsbの規格におけるタイプＢスーパーセグメントである
請求項１に記載の受信装置。
【請求項９】
位相補償されているセグメントが複数連結されたセグメントの前記位相補償を補正する補正部を備える受信装置の受信方法において、
前記補正部は、
既知信号の位相に基づき、前記位相補償量を初期化するタイミングを生成し、
前記既知信号の位相に基づき、前記位相補償の位相補償量を補正するための補正量を生成し、
生成された前記補正量で、前記位相補償に対する位相補正を行う
ステップを含む受信方法。
【請求項１０】
位相補償されているセグメントが複数連結されたセグメントの前記位相補償を補正する補正部を備える受信装置を制御するコンピュータに、
前記補正部が、
既知信号の位相に基づき、前記位相補償量を初期化するタイミングを生成し、
前記既知信号の位相に基づき、前記位相補償の位相補償量を補正するための補正量を生成し、
生成された前記補正量で、前記位相補償に対する位相補正を行う
処理を実行させるためのコンピュータ読み取り可能なプログラム。
【請求項１１】
位相補償されているセグメントが複数連結されたセグメントの前記位相補償を補正する補正部
を備え、
前記補正部は、
既知信号の位相に基づき、前記位相補償の位相補償量を補正するための補正量を生成する補正量生成部と、
前記補正量生成部により生成された前記補正量で、前記位相補償に対する位相補正を行う位相補正部と
を備える受信装置。
【請求項１２】
位相補償されているセグメントが複数連結されたセグメントの前記位相補償を補正する補正部を備える受信装置の受信方法において、
前記補正部は、
既知信号の位相に基づき、前記位相補償の位相補償量を補正するための補正量を生成し、
生成された前記補正量で、前記位相補償に対する位相補正を行う
ステップを含む受信方法。
【請求項１３】
位相補償されているセグメントが複数連結されたセグメントの前記位相補償を補正する補正部を備える受信装置を制御するコンピュータに、
前記補正部が、
既知信号の位相に基づき、前記位相補償の位相補償量を補正するための補正量を生成し、
生成された前記補正量で、前記位相補償に対する位相補正を行う
処理を実行させるためのコンピュータ読み取り可能なプログラム。